(57)【特許請求の範囲】
【請求項１】
建築物に取り付けられ、内側に開口部を有する枠体と、
この枠体に対して変移可能に支持され、変移することによって前記開口部を開閉する窓と、
張力が与えられることによって、前記窓に対して前記開口部を閉鎖させる方向の変移力を与えるワイヤと、
このワイヤを巻取ることによって、前記ワイヤに張力を与えるワイヤ巻取り手段とを備える窓装置に取り付けられるもので、
前記ワイヤに当接して前記ワイヤを屈曲させ、張力に対して略垂直方向に変移可能な可動滑車と、
この可動滑車の中心より前記ワイヤが当接する側とは逆の半周側に当接し、前記可動滑車の変移方向に対する略垂直方向から、前記可動滑車を付勢する付勢手段と、を備え、
前記可動滑車の変移を用いて前記窓の閉鎖状態を表示する遠隔窓閉鎖確認装置。
【請求項２】
請求項１の遠隔窓閉鎖確認装置において、
前記可動滑車には、この可動滑車の動きに連動する指針が取り付けられ、この指針の変移によって前記窓の閉鎖状態を表示する
ことを特徴とする遠隔窓閉鎖確認装置。
【請求項３】
請求項１または請求項２の遠隔窓閉鎖確認装置において、
前記可動滑車の両側または片側には、前記ワイヤの屈曲範囲を規制する固定滑車が設けられるとともに、
前記付勢手段の先端には、前記可動滑車に当接する鋼球が設けられた
ことを特徴とする遠隔窓閉鎖確認装置。
【請求項４】
請求項１ないし請求項３のいずれかの遠隔窓閉鎖確認装置において、
前記ワイヤ巻取り手段は、手動の巻取りレバーを回転させることによって前記ワイヤを巻取り、前記ワイヤに張力を与える
ことを特徴とする遠隔窓閉鎖確認装置。
【発明の詳細な説明】
【０００１】
【発明の属する技術分野】
本発明は、ワイヤを巻取ることでワイヤに張力を与え、ワイヤに与えられた張力で窓の閉鎖を行う窓装置に用いられるもので、窓の閉鎖を確認するための遠隔窓閉鎖確認装置に関するものである。
【０００２】
【従来の技術】
高窓など、使用者よりも離れた窓を遠隔操作して窓を閉鎖する窓装置が知られている。この窓装置は、窓を閉鎖する際、ワイヤを巻取ることで窓に張力を与え、この張力によって窓を閉鎖するもので、ワイヤの巻取り方法として、手動の巻取りレバーを回転させてワイヤを巻取る手動式と、電動モータの回転力によってワイヤを巻取る電動式とがある。電動式は電動モータなどを使用するため、コストが高くなる不具合があるとともに、電源が必要となり、電源の無い部位には用いることができないため、簡便な手動式が多く用いられている。
【０００３】
なお、手動式の窓装置は、窓を閉める際、巻取りレバーを回す時の操作力の増加量によって窓が閉まったことを確認している。
【０００４】
【発明が解決しようとする課題】
手動式の窓装置では、操作者の操作力によって窓が閉められたか否かを判断していたため、操作者によっては窓が完全に閉まっていない状態でも完全に閉まったと勘違いする場合があり、風雨が建物内に進入する被害の発生要因となっていた。
【０００５】
そこで、図７に示す遠隔窓閉鎖確認装置を開発した（周知技術ではない）。この図に示す遠隔窓閉鎖確認装置は、ワイヤＪ1 の張力を受けて変移可能な張力受部Ｊ2 を備えるとともに、この張力受部Ｊ2 を張力に反発して引っ張る２つの弾性体Ｊ3 を備えるもので、窓が閉まって張力が増大すると、張力受部Ｊ2 が２つの弾性体Ｊ3 の張力に打ち勝って変移し、張力受部Ｊ2 に設けられた指針Ｊ4 の変移位置によって、窓の閉鎖を確認するものである。
【０００６】
この遠隔窓閉鎖確認装置は、窓が閉鎖されたことを確認することができる優れたものであるが、張力受部Ｊ2 によってワイヤＪ1 を一方へ引込み、さらに２つの弾性体Ｊ3 が張力受部Ｊ2 を張力に反発して引っ張る構成であったため、遠隔窓閉鎖確認装置が大型化する不具合があった。また、この大型化のために、ワイヤを巻取るハンドルボックス内に遠隔窓閉鎖確認装置を収納する要求にも応えることができなかった。
【０００７】
【発明の目的】
本発明は、上記の事情に鑑みてなされたもので、その目的は、窓が閉鎖されたことを確認することができるとともに、小型化が可能な遠隔窓閉鎖確認装置の提供にある。
【０００８】
【課題を解決するための手段】
本発明の遠隔窓閉鎖確認装置は、次の技術的手段を採用した。
〔請求項１の手段〕
遠隔窓閉鎖確認装置は、
建築物に取り付けられ、内側に開口部を有する枠体と、
この枠体に対して変移可能に支持され、変移することによって前記開口部を開閉する窓と、
張力を与えられることによって、前記窓に対して前記開口部を閉鎖させる方向に変移力を与えるワイヤと、
このワイヤを巻取ることによって、前記ワイヤに張力を与えるワイヤ巻取り手段とを備える窓装置に取り付けられるもので、
前記ワイヤに当接して前記ワイヤを屈曲させ、張力に対して略垂直方向に変移可能な可動滑車と、
この可動滑車の中心より前記ワイヤが当接する側とは逆の半周側に当接し、前記可動滑車の変移方向に対する略垂直方向から、前記可動滑車を付勢する付勢手段と、を備え、
前記可動滑車の変移を用いて前記窓の閉鎖状態を表示する。
【０００９】
〔請求項２の手段〕
請求項１の遠隔窓閉鎖確認装置において、
前記可動滑車には、この可動滑車の動きに連動する指針が取り付けられ、この指針の変移によって前記窓の閉鎖状態を表示することを特徴とする。
【００１０】
〔請求項３の手段〕
請求項１または請求項２の遠隔窓閉鎖確認装置において、
前記可動滑車の両側または片側には、前記ワイヤの屈曲範囲を規制する固定滑車が設けられるとともに、
前記付勢手段の先端には、前記可動滑車に当接する鋼球が設けられたことを特徴とする。
【００１１】
〔請求項４の手段〕
請求項１ないし請求項３のいずれかの遠隔窓閉鎖確認装置において、
前記ワイヤ巻取り手段は、手動の巻取りレバーを回転させることによって前記ワイヤを巻取り、前記ワイヤに張力を与えることを特徴とする。
【００１２】
【発明の作用】
ワイヤ巻取り手段によってワイヤを巻取ることで、ワイヤに張力が発生し、窓に開口部を閉鎖させる変移力が与えられる。すると、窓が枠体に対して変移し、窓が枠体の開口部を閉鎖する。
窓が枠体の開口部を閉鎖した状態でさらにワイヤに対して張力を与えると、この張力が可動滑車に与えられる。可動滑車は、変移方向に対する略垂直方向から付勢手段により付勢されているため、可動滑車はワイヤが当接する側に押されている。このため、可動滑車に与えられるワイヤの張力が弱いと、可動滑車の変移が抑えられる。
【００１３】
さらにワイヤの張力が増大して、可動滑車が変移しようとする力が増大し、ワイヤの張力が設定値に達して可動滑車が変移をはじめると、付勢手段に伝達される分力比率（付勢手段による付勢力／可動滑車の変移力）が増大し、僅かな張力増加で可動滑車に当接する付勢手段の当接位置がずれ、可動滑車がフルストロークする。この可動滑車の変移からワイヤ巻取り手段の操作者は、窓の閉鎖に要する張力がワイヤに発生しているか否かを知ることができる。つまり、可動滑車の変移から、窓が閉鎖されたことを確認することができる。
【００１４】
【発明の効果】
上記の作用で示したように、ワイヤ巻取り手段の操作者は、可動滑車の変移から窓が閉鎖されたことを確認することができる。このため、操作者によっては、窓が開いているのに閉鎖したと勘違いする不具合を無くすことができる。
【００１５】
また、可動滑車はワイヤに当接してワイヤを屈曲させて配置され、可動滑車設置のためのスペースは小さく済む。一方、付勢手段は、可動滑車の変移方向に対する略垂直方向から可動滑車を付勢する。つまり、付勢手段は、ワイヤの延びる方向に沿って配置されるため、付勢手段の配置スペースは小さく済む。このように、可動滑車の設置スペースおよび付勢手段の配置スペースが、共に小さく済むため、遠隔窓閉鎖確認装置を小型化できる。
また、遠隔窓閉鎖確認装置が小型化できるため、ワイヤ巻取り手段のボックス内に収納することも可能になる。
【００１６】
【発明の実施の形態】
次に、本発明の実施の形態を、実施例および変形例に基づき説明する。
〔実施例の構成〕
図１ないし図３は実施例を示すもので、図１は遠隔窓閉鎖確認装置の内部構造を示す概略斜視図、図２は遠隔窓閉鎖確認装置の作動説明図、図３は窓装置の概略図である。
【００１７】
窓装置１は、図３に示されるもので、大別して、建築物に取り付けられる枠体２、この枠体２内の開口を開閉する窓３、この窓３を開く方向に付勢する押圧手段４、窓３を閉じる方向へ引っ張るワイヤ５、ワイヤ５を巻取るワイヤ巻取り手段６からなる。
また、この窓装置１のワイヤ巻取り手段６には、ワイヤ５を巻取る際に、窓３が確実に閉められたか否かを操作者に表示する遠隔窓閉鎖確認装置７が組み付けられている。
【００１８】
枠体２は、建築物の開口に固定される矩形枠で、内部に開口部２ａを備える。なお、この開口部２ａの周囲には、シール材（図示しない）が取り付けられ、後述する窓枠３ａが押し付けられた際に、開口部２ａと窓枠３ａとの間の隙間の発生を防ぐように設けられている。
【００１９】
窓３は、枠体２（本実施例では枠体２の下辺）に対して回動変移可能に支持され、回動変移することによって開口部２ａを開閉するもので、枠体２の開口部２ａにパッキングを介して密着可能な窓枠３ａと、この窓枠３ａ内に気密に装着された窓ガラス３ｂとからなる。
【００２０】
押圧手段４は、枠体２の辺に一端が固定され、他端が窓枠３ａに固定された伸縮体で、内部に配置された圧縮コイルバネや圧縮ガスの作用で、窓枠３ａが枠体２から離れる方向に付勢するものである。この押圧手段４の作用は、ワイヤ５の張力が解除された際に、窓枠３ａを枠体２から離れる方向に押し出し、窓３を開かせるものである。
【００２１】
ワイヤ５は、一端が枠体２等に固定され、他端がワイヤ巻取り手段６に巻取り可能に設けられた細い金属製ロープで、このワイヤ５は窓枠３ａの回動端に設けられた窓枠滑車５ａに通され、ワイヤ５の張力が窓枠滑車５ａを介して窓３に作用するように設けられている。なお、図３中において、窓枠滑車５ａ以外に取り付けられた案内滑車５ｂは、直線方向へ伸びるワイヤ５の向きを円滑に変換するためのものである。
【００２２】
このように、窓枠３ａには、窓枠滑車５ａを介してワイヤ５の張力が作用するように設けられているため、ワイヤ巻取り手段６がワイヤ５を巻取り、ワイヤ５に張力が与えられると、この与えられた張力によって窓３の窓枠３ａを枠体２側に引き寄せて窓３を回動変移させ、開口部２ａを閉鎖するように作用する。
【００２３】
ワイヤ巻取り手段６は、ワイヤ５の他端が固定された巻取りプーリ（図示しない）と、この巻取りプーリを一方向のみへ回転させる一方向クラッチ（図示しない）と、巻取りプーリを操作者の操作力によって回転させる巻取りレバー６ａと、一方向クラッチにおける巻取りプーリの他方向への回転を解除する解除ボタン６ｂとからなり、建物の壁等に組み付けられるハンドルボックス６ｃ内に収納されている。
【００２４】
遠隔窓閉鎖確認装置７は、ワイヤ巻取り手段６のハンドルボックス６ｃ内におけるワイヤ５の途中に配置されたもので、ハンドルボックス６ｃには、内部に配置される指針８を外部から視認するための表示窓９が設けられている。
また、遠隔窓閉鎖確認装置７は、支持フレーム１０に組み付けられたもので、可動滑車１１、２つの固定滑車１２、付勢手段１３および指針８から構成され、これらを図１および図２を用いて説明する。
【００２５】
可動滑車１１は、ワイヤ５に当接してワイヤ５から張力を受けるとともに、ワイヤ５を数度から数十度の範囲で屈曲させるもので、可動滑車１１の支持軸１１ａがワイヤ５の張力方向（この実施例では上下方向）に対して垂直方向（この実施例では水平方向）に延びる長穴（図示しない）に支持され、結果的に可動滑車１１が水平方向に変移可能に設けられている。
【００２６】
２つの固定滑車１２は、可動滑車１１の上下両側に配置され、支持軸１１ａが支持フレーム１０に固定された滑車で、可動滑車１１によるワイヤ５の屈曲範囲を規制するものである。
【００２７】
本実施例の付勢手段１３は、可動滑車１１の中心よりワイヤ５が当接する側とは逆の半周側に当接し、可動滑車１１の変移方向（水平方向）に対する略垂直方向（上下方向）から、可動滑車１１を付勢するものである。つまり、可動滑車１１の変移力Ｆ1 に対し、垂直方向から抗する付勢力Ｆ2 を発生するものである。
【００２８】
この実施例の付勢手段１３は、上下方向に延びる１つの圧縮コイルバネ１３ａと、この圧縮コイルバネ１３ａに付勢されるとともに可動滑車１１に当接する鋼球１３ｂと、圧縮コイルバネ１３ａの付勢力を調節する調節ネジ１３ｃとからなる。なお、調節ネジ１３ｃは、ワイヤ５の張力が所定張力（確実に窓３が閉められた時に発生する張力で、例えば２０〜４０ｋｇ）に達した際に、僅かな張力増加で可動滑車１１がフルストロークするように、付勢力Ｆ2 を調節するものである。
また、付勢手段１３は、窓３が開かれる際、つまりワイヤ５の張力が解除された際に、可動滑車１１を押し戻すリターンスプリングの作用も果たすものである。なお、鋼球１３ｂに代えて、ローラなど回転体を用いても良い。
【００２９】
指針８は、支持フレーム１０の外側において回動変移可能に支持されるとともに、可動滑車１１の支持軸１１ａの変移に連動して回動変移するもので、指針８の変移は、ハンドルボックス６ｃに設けられた表示窓９内に表示される。
なお、指針８の回動端には、窓３の開状態と閉状態とを区別表示する表示手段（例えば、赤と緑の色分け）が設けられており、図２において、可動滑車１１が実線の位置にある時に、表示窓９から開状態（例えば緑）を表示し、可動滑車１１が２点鎖線の位置にある時に、表示窓９から閉状態（例えば赤）を表示するように設けられている。
【００３０】
〔実施例の作動〕
次に、上記実施例の作動を説明する。
窓３を開く場合は、ワイヤ巻取り手段６の解除ボタン６ｂを操作することによって、ワイヤ５にかかる張力が解除され、押圧手段４が窓枠３ａを枠体２から離れる方向に押し出し、結果的に、窓枠３ａが開く方向に回動変移して、窓３が開かれる。
【００３１】
窓３を閉める場合は、ワイヤ巻取り手段６の巻取りレバー６ａを回転させることで、ワイヤ５が巻取りプーリに巻取られ、ワイヤ５に張力が発生する。ワイヤ５に張力が発生すると、ワイヤ５が押圧手段４の付勢力に抗して窓３の窓枠３ａを枠体２側に引き寄せる。この結果、窓３が閉まる方向に回動変移し、枠体２内の開口部２ａが閉鎖する。
【００３２】
各窓３が閉鎖すると、各窓３は枠体２のパッキングに押し付けられて回動変移できなくなり、ワイヤ５にかかる張力が急激に上昇する。ワイヤ５の張力の上昇によって、可動滑車１１に与えられる変移力Ｆ1 が増加する。可動滑車１１は、付勢手段１３に押し戻されているため、張力が所定値よりも小さい状態では、可動滑車１１は変移しない。つまり、ハンドルボックス６ｃの表示窓９には、指針８によって開状態（例えば緑）が表示されたままになる。
【００３３】
さらに巻取りレバー６ａを回転させると、ワイヤ５の張力が増大し、可動滑車１１の変移力Ｆ1 が増大する。そして、ワイヤ５の張力が設定荷重に達すると、可動滑車１１が変移を開始する。そして、さらにワイヤ５の張力を増大させると、鋼球１３ｂを介して圧縮コイルバネ１３ａに伝達される軸方向荷重（付勢力Ｆ2 ）の分力比率Ｆ2 ／Ｆ1 の増大により、僅かな張力増加で可動滑車１１に当接する鋼球１３ｂの位置がずれ、可動滑車１１がフルストロークする。この可動滑車１１のフルストロークにより、指針８が回動し、ハンドルボックス６ｃの表示窓９には、指針８によって閉状態（例えば赤）が表示される。これによって、操作者は、各窓３が確実に閉められた旨を確認でき、巻取りレバー６ａの回動操作を終える。
【００３４】
〔実施例の効果〕
本実施例の遠隔窓閉鎖確認装置７は、上記の作用で示したように、窓３を閉鎖する際、ワイヤ巻取り手段６の巻取りレバー６ａを操作する操作者は、表示窓９内の指針８の表示から窓３が確実に閉鎖されたことを確認することができる。このため、操作者によっては、窓３が開いているのに閉鎖したと勘違いする不具合が無くなり、風雨が建物内に浸入する被害の発生を防ぐことができる。
【００３５】
また、可動滑車１１は、ワイヤ５に当接してワイヤ５を屈曲させて配置されるものであるため、可動滑車１１を設置するスペースは小さく済む。一方、付勢手段１３は、ワイヤ５の延びる方向に沿って配置されるため、付勢手段５の配置スペースは小さく済む。
このように、可動滑車１１の設置スペースおよび付勢手段１３の配置スペースが、共に小さく済むため、遠隔窓閉鎖確認装置７を小型化でき、ワイヤ巻取り手段６のハンドルボックス６ｃ内に収納することができる。
なお、遠隔窓閉鎖確認装置７がハンドルボックス６ｃ内に収納できることにより、施工性が向上する。
【００３６】
〔変形例〕
上記の実施例では、可動滑車１１の反ワイヤ５側に当接する付勢手段１３の一例として、１つの付勢手段１３を設けた例を示したが、図４および図５に示すように、２つの付勢手段１３を設けても良い。
また、上記の実施例では、可動滑車１１に付勢力を与える付勢手段１３の一例として、圧縮コイルバネ１３ａを用いた例を示したが、図６に示す捩じりバネ１３ｄや、引張コイルバネ、ゴムなど、他の手段を用いても良い。なお、この図６では、鋼球１３ｂに代わりローラ１３ｅを用いている。
【００３７】
上記の実施例では、可動滑車１１に連動する指針８の動きを使用者に表示する例を示したが、可動滑車１１の一部（例えば、可動滑車１１や支持軸１１ａなど）を使用者に表示するように設けても良い。
上記の実施例では、遠隔窓閉鎖確認装置７をワイヤ巻取り手段６と一体に設けた例を示したが、遠隔窓閉鎖確認装置７をワイヤ巻取り手段６と別体に設けても良い。
【図面の簡単な説明】
【図１】遠隔窓閉鎖確認装置の内部構造を示す概略斜視図である（実施例）。
【図２】遠隔窓閉鎖確認装置の作動説明図である（実施例）。
【図３】窓装置の概略図である（実施例）。
【図４】遠隔窓閉鎖確認装置の内部構造を示す概略斜視図である（変形例）。
【図５】遠隔窓閉鎖確認装置の作動説明図である（変形例）。
【図６】遠隔窓閉鎖確認装置の概略図である（変形例）。
【図７】遠隔窓閉鎖確認装置の概略図である（従来例）。
【符号の説明】
１    窓装置
２    枠体
２ａ  開口部
３    窓
５    ワイヤ
６    ワイヤ巻取り手段
６ａ  巻取りレバー
７    遠隔窓閉鎖確認装置
８    指針
９    表示窓
１１    可動滑車
１２    固定滑車
１３    付勢手段
１３ｂ  鋼球
【図１】
0003748468.tif 000002
【図２】
0003748468.tif 000003
【図３】
0003748468.tif 000004
【図４】
0003748468.tif 000005
【図５】
0003748468.tif 000006
【図６】
0003748468.tif 000007
【図７】
0003748468.tif 000008